(57)【要約】【解決手段】人が背負う水嚢１と、放水ノズル３と、前記水嚢１の水を放水ノズル３に送る電動ポンプ７とを有する背負い式消火装置において、前記放水ノズル３が手動により放水及び停止が可能であり、前記電動ポンプ７から放水ノズル３に至る送水経路に、常時は閉じて送水経路内の水の圧力が所定値を超えたときに開く圧力スイッチ１０を設け、当該圧力スイッチ１０を前記電動ポンプ７の電源回路に直列に接続する。【効果】送水ホース５にモーター８を制御するためのケーブルが並設されることがないので、その取り扱いにおいて送水ホース５に過大な力が作用したとしても、ケーブルが切断される恐れはなく、ケーブルの切断により使用不能に陥ることがない。【選択図】　　　　　図１
2004008269.tif 000002
【特許請求の範囲】
【請求項１】
人が背負う水嚢（１）と、放水ノズル（３）と、前記水嚢（１）の水を放水ノズル（３）に送る電動ポンプ（７）とを有する背負い式消火装置において、前記放水ノズル（３）が手動により放水及び停止が可能であり、前記電動ポンプ（７）から放水ノズル（３）に至る送水経路に、常時は閉じて送水経路内の水の圧力が所定値を超えたときに開く圧力スイッチ（１０）を設け、当該圧力スイッチ（１０）を前記電動ポンプ（７）の電源回路に直列に接続したことを特徴とする、背負い式消火装置
【発明の詳細な説明】
【０００１】
【発明の属する技術分野】
本発明は背負い式消火装置に関するものであって、特に水嚢を人が背負い、当該水嚢の水を電動ポンプにより放水ノズルに送り、当該放水ノズルを把持して放水する形式の背負い式消火装置に関するものである。
【０００２】
【従来の技術】
従来から、袋状の水嚢を人が背負い、当該水嚢内の水をハンドポンプで放水する背負い式消火装置が広く使用されている。また特開２００１−１４５７０４号公報に記載されているように、電動ポンプの動力で放水する消火装置も知られている。
【０００３】
【発明が解決しようとする課題】
前記公報に記載された例においては、放水ノズルに設けられた操作スイッチを操作することにより、放水ノズルのバルブを開閉すると共にモーターの駆動停止を制御し、放水をコントロールするようになっており、操作スイッチによりモーターの駆動を制御するためのケーブルがホースに並設されている。
【０００４】
しかしながらこの種の背負い式消火装置は、山火事などの火災現場の最前線において使用されるものであり、また危険で厳しい条件下において使用されるものであるため、ホースが引っ張られたり、曲げや捩じれの力がかかることも少なくない。
【０００５】
ホース自体は太く強度もあり、通常の使用において生じ得る外力には十分に耐え得るが、そのホースにケーブルが並設されている場合には、ケーブルは通常ホースに比べると伸びが小さいため、ホースに加わる外力がケーブルに集中し、ケーブルが切断されることがある。
【０００６】
一旦ケーブルが切断されてしまうと、もはやモーターは作動せず、ポンプを駆動することができないため、水嚢内に十分な水が有ってもそれを放水することができない。
【０００７】
本発明はかかる事情に鑑みなされたものであって、ホースにケーブルを並設することなく、且つホースの先端の放水ノズルの操作によりモーターの作動を制御し、放水をコントロールすることのできる、背負い式消火装置を提供することを目的とするものである。
【０００８】
【課題を解決するための手段】
而して本発明は、人が背負う水嚢と、放水ノズルと、前記水嚢の水を放水ノズルに送る電動ポンプとを有する背負い式消火装置において、前記放水ノズルが手動により放水及び停止が可能であり、前記電動ポンプから放水ノズルに至る送水経路に、常時は閉じて送水経路内の水の圧力が所定値を超えたときに開く圧力スイッチを設け、当該圧力スイッチを前記電動ポンプの電源回路に直列に接続したことを特徴とするものである。
【０００９】
【発明の実施の形態】
以下本発明の実施の形態を図面に従って説明する。図１は本発明の背負い式消火装置を示すものであって、内部に水を収容して人Ａがリュックサック状に背負う水嚢１と、人Ａの腰部後部に装着する容器２と、人Ａが把持して操作する放水ノズル３とよりなっており、放水ノズル３は操作レバー１２により放水及び停止が可能となっている。
【００１０】
そして前記容器２には、図２に示すように前記水嚢１に接続する吸水ホース４と、前記放水ノズル３に水を供給する送水ホース５とが接続されている。６は吸水ホース４を水嚢１に接続するコネクターである。
【００１１】
容器２内には、前記吸水ホース４から送水ホース５に水を送るポンプ７と、当該ポンプ７を駆動するモーター８と、当該モーター８の電源としてのバッテリー９とが収容されている。なおポンプ７としては、水の汚れに強いダイヤフラムポンプを使用することが好ましい。
【００１２】
而して本発明においては、前記ポンプ７から放水ノズル３に至る送水経路としての送水ホース５に、圧力スイッチ１０が設けられている。当該圧力スイッチ１０は常時は閉じており、送水ホース５内の水の圧力が所定値を超えたときに開くようになっている。
【００１３】
そして当該圧力スイッチ１０と、前記ポンプ７を駆動するモーター８と、バッテリー９と、容器２外からオンオフ操作する手動スイッチ１１とが、直列に接続されている。
【００１４】
なお本発明においては、モーター８に瞬間的な過負荷がかかる可能性があるので、バッテリー９にモーター８への出力を制御する出力制御回路を設け、瞬間的な過負荷に対応できるようにすることが好ましい。
【００１５】
【作用】
而して本発明においては、常時は圧力スイッチ１０は閉じているので、手動スイッチ１１をオンにするとモーター８に通電され、当該モーター８が作動してポンプ７を駆動し、水嚢１内の水を吸水ホース４から吸引して送水ホース５に送り込む。
【００１６】
放水ノズル３の操作レバー１２を操作しない状態においては放水ノズル３は閉じているので、送水ホース５内に送り込まれた水は当該送水ホース５内に滞留し、送水ホース５内の圧力が上昇する。その圧力が所定値を超えると、圧力スイッチ１０が作動して回路を開き、モーター８の作動が停止する。
【００１７】
そこで操作レバー１２を操作して放水ノズル３を開くと、送水ホース５内の水は放水ノズル３から放出されると共に送水ホース５内の圧力が低下し、その圧力が所定値より低くなると圧力スイッチ１０が作動して回路が閉じる。そしてモーター８が作動してポンプ７を駆動し、水嚢１内の水を吸水ホース４及び送水ホース５を通じて放水ノズル３から放水する。
【００１８】
また操作レバー１２の操作を停止して放水ノズル３を閉じると、再度前述のように圧力スイッチ１０が開いてモーター８が停止する。また操作レバー１２を操作して放水ノズル３を開くと、再度モーター８が作動してポンプ７を駆動し、放水を再開する。
【００１９】
【発明の効果】
本発明によれば、送水ホース５にモーター８を制御するためのケーブルが並設されることがないので、その取り扱いにおいて送水ホース５に過大な力が作用したとしても、ケーブルが切断される恐れはなく、ケーブルの切断により使用不能に陥ることがない。
【００２０】
また放水ノズル３にモーター８を制御するためのスイッチを設ける必要がないので、放水ノズル３の構造が簡単であって、少なくとも電気的なトラブルを生じる恐れは皆無である。
【００２１】
また送水ホース５内の圧力によりモーター８を制御する圧力スイッチ１０が送水ホース５に設けられるので、電気的回路は手動スイッチ１１を除いてすべて容器２内に収容することが可能となり、故障が少なくなる。
【００２２】
そして操作レバー１２の操作による放水ノズル３の開閉により、送水ホース５内の圧力の変動を圧力スイッチ１０が感知してモーター８への通電を制御するので、操作する人Ａは手元の放水ノズル３の操作のみによってモーター８の制御が可能であり、操作が簡単であると共に、モーター８に過大な負荷がかかることもない。また放水ノズル３の開閉に伴う瞬間的な過負荷に対しては、電気的な保護回路により対応することができる。
【図面の簡単な説明】
【図１】本発明の背負い式消火装置の使用状態を示す側面図
【図２】本発明における容器の縦断面図
【符号の説明】
１　水嚢
３　放水ノズル
７　ポンプ
１０　圧力スイッチ
【図１】
2004008269.tif 000003
【図２】
2004008269.tif 000004